【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
炭化水素含有材料からの炭化水素含有有機物の抽出方法であって、
ターペンタイン液を含む第１の液体を提供するステップと、
抽出混合物が形成され、残留物が形成されるよう、炭化水素含有材料を前記ターペンタイン液と接触させるステップとを備え、抽出混合物は、炭化水素含有有機物の少なくとも一部と、ターペンタイン液とを含み、残留物は、炭化水素含有材料からの、ターペンタイン液に溶解しない不溶性材料の少なくとも一部を含み、
抽出混合物を残留物から分離するステップと、
抽出混合物を第１の部分と第２の部分とに分離するステップとをさらに備え、抽出混合物の第１の部分は、炭化水素含有有機物の少なくとも一部を含む炭化水素生成物流を含み、抽出混合物の第２の部分は、ターペンタイン液の少なくとも一部を含む、方法。
【請求項２】
前記ターペンタイン液は、天然ターペンタイン、合成ターペンタイン、ミネラルターペンタイン、パイン油、α−ピネン、β−ピネン、α−テルピネオール、β−テルピネオール、γ−テルピネオール、テルペン樹脂、α−テルペン、β−テルペン、γ−テルペン、ゲラニオール、３−カレン、ジペンデン（ρ−メンタ−１，８−ジエン）、ノポール、ピナン、２−ピナンヒドロペルオキシド、テルピンヒドラート、２−ピナノール、ジヒドロミセノール、イソボルネオール、ρ−メンタン−８−オール、α−テルピニルアセタート、シトロネロール、ρ−メンタン−８−イルアセタート、７−ヒドロキシジヒドロシトロネラール、メントール、アネトール、カンフェン、ρ−シメン、アニスアルデヒド、３，７−ジメチル−１，６−オクタジエン、イソボルニルアセタート、オシメン、アロオシメン、アロオシメンアルコール、２−メトキシ−２，６−ジメチル−７，８−エポキシオクタン、ショウノウ、シトラール、７−メトキシジヒドロ−シトロネラール、１０−ショウノウスルホン酸、シトロネラール、メントン、およびそれらの混合物からなる群から選択される、請求項１に記載の方法。
【請求項３】
前記炭化水素含有有機物は、固体または半固体であり、前記炭化水素含有材料は、複数の粒子を含み、粒子は、約０．７４ミリメートルから約２５ミリメートルまでの平均粒径を有する、請求項１に記載の方法。
【請求項４】
ターペンタイン液に第２の液体を加えるステップをさらに備え、第２の液体は、低級脂肪族アルコール、低級アルカン、低級芳香族化合物、脂肪族アミン、芳香族アミン、およびそれらの混合物からなる群から選択され、好ましくはエタノール、プロパノール、イソプロパノール、ブタノール、ペンタン、ヘプタン、ヘキサン、ベンゼン、トルエン、キシレン、アントラセン、テトラリン、トリエチレルアミン、アニリン、およびそれらの混合物からなる群から選択される、請求項１に記載の方法。
【請求項５】
炭化水素含有材料を前記ターペンタイン液と接触させるステップは、水の沸点付近の温度の水を加えるステップをさらに含む、請求項４に記載の方法。
【請求項６】
ターペンタイン液を炭化水素含有材料と好ましくは約１．０×１０4パスカル（０．１ａｔｍ）から約５．０×１０6パスカル（５０．０ａｔｍ）までの圧力で接触させる前に、ターペンタイン液を約２００℃までの周囲温度を超える点までの温度まで加熱するステップをさらに備える、請求項１に記載の方法。
【請求項７】
抽出混合物の第２の部分の少なくとも一部を、接触させるステップに供給するステップをさらに備える、請求項１に記載の方法。
【請求項８】
前記炭化水素含有有機物と前記ターペンタイン液とを、前記炭化水素含有有機物を含有する地下地層内でｉｎ  ｓｉｔｕで接触させるための手段と、前記地下地層から前記炭化水素含有有機物を抽出するための手段とを提供するステップをさらに備える、請求項１に記載の方法。
【請求項９】
前記炭化水素含有材料は、約３００℃未満の温度の好ましくは約６０℃未満の温度の前記ターペンタイン液によって接触される、請求項１に記載の方法。
【請求項１０】
炭化水素含有材料は、地下地層中にあり、炭化水素含有材料を前記ターペンタイン液と接触させるステップは、地下地層中でｉｎ  ｓｉｔｕで起こり、
抽出混合物を地下地層と流体連通している生産井を通して回収するステップをさらに備え、残留物は、地下地層にｉｎ  ｓｉｔｕで残留する、請求項１に記載の方法。
【請求項１１】
炭化水素材料のさらなる抽出のために再循環流を圧入井へ圧入するステップをさらに備える、請求項１０に記載の方法。
【請求項１２】
地下地層は、炭化水素材料の一次回収を受けている、請求項１０に記載の方法。
【請求項１３】
ターペンタイン液は、少なくとも約３０体積％のα−テルピネオールと、少なくとも約１５％のβ−テルピネオールとを含み、好ましくは約５０体積％のα−テルピネオールと、少なくとも約２０体積％のβ−テルピネオールとを含む、請求項１に記載の方法。
【請求項１４】
ターペンタインは、
α−テルペン、β−テルペンまたはγ−テルペンのうち少なくとも１つをさらに含む、請求項１に記載の方法。
【請求項１５】
ターペンタイン液は、α−テルピネオールとβ−テルピネオールとを含み、α−テルピネオールとβ−テルピネオールの比は、少なくとも約１．３：１であり、好ましくはα−テルピネオールとβ−テルピネオールの比は、少なくとも約２：１である、請求項１に記載の方法。
【請求項１６】
前記炭化水素材料は、タールサンドを含み、
炭化水素含有材料を前記ターペンタイン液と接触させるステップは、炭化水素含有材料から炭化水素含有有機物の相当な部分を抽出する働きをする時間の間、タールサンドを抽出容器の内部に供給し、ターペンタイン液を抽出容器の内部に供給するステップを含む、炭化水素含有材料から炭化水素含有有機物を抽出するための請求項１に記載の方法。
【請求項１７】
前記炭化水素材料はオイルシェールを含み、
複数の粒子を作製するために炭化水素含有有機物を粉砕するステップをさらに備え、粒子は、複数の粒子がターペンタイン液と接触しているよう４．８ｍｍから２５ｍｍの範囲の平均直径サイズを規定する、炭化水素含有材料から炭化水素含有有機物を抽出するための請求項１に記載の方法。
【請求項１８】
前記炭化水素材料は石炭を含み、
複数の粒子を作製するために炭化水素含有有機物を粉砕するステップをさらに備え、粒子は、複数の粒子がターペンタイン液と接触しているよう０．８ｍｍから０．０７ｍｍの範囲の平均直径サイズを規定する、炭化水素含有材料から炭化水素含有有機物を抽出するための請求項１に記載の方法。
【請求項１９】
炭化水素含有有機物の抽出のための組成物であって、少なくとも約３０体積％のα−テルピネオールと、少なくとも約１０体積％のβ−テルピネオールとを含み、好ましくは約５０〜７０体積％のα−テルピネオールと、約２０〜４０体積％のβ−テルピネオールとを含む、組成物。
【請求項２０】
２０体積％までのγ−テルピネオールも含む、請求項１９に記載の組成物。
【請求項２１】
２０体積％までの、天然ターペンタイン、合成ターペンタイン、ミネラルターペンタイン、α−ピネン、β−ピネン、α−テルペン、β−テルペン、およびγ−テルペン、ゲラニオール、３−カレン、ジペンデン（ρ−メンタ−１，８−ジエン）、ノポール、ピナン、２−ピナンヒドロペルオキシド、テルピンヒドラート、２−ピナノール、ジヒドロミセノール、イソボルネオール、ρ−メンタン−８−オール、α−テルピニルアセタート、シトロネロール、ρ−メンタン−８−イルアセタート、７−ヒドロキシジヒドロシトロネラール、メントール、アネトール、カンフェン、ρ−シメン、アニスアルデヒド、３，７−ジメチル−１，６−オクタジエン、イソボルニルアセタート、オシメン、アロオシメン、アロオシメンアルコール、２−メトキシ−２，６−ジメチル−７，８−エポキシオクタン、ショウノウ、シトラール、７−メトキシジヒドロ−シトロネラール、１０−ショウノウスルホン酸、シトロネラール、メントン、およびそれらの混合物からなる群から選択される少なくとも１つの化合物も含む、請求項１９に記載の組成物。
【請求項２２】
約１０体積％までのα−テルペンと約１０体積％までのβ−テルペンとも含む、請求項１９に記載の組成物。
【請求項２３】
組成物は、約３０〜７０体積％好ましくは約４０〜７０体積％のα−テルピネオールと、約２５〜５５体積％好ましくは約３０〜４０体積％のβ−テルピネオールとも含む、請求項１９に記載の組成物。
【請求項２４】
組成物は、約４５〜８０体積％のα−テルピネオールと、約１５〜４５体積％のβ−テルピネオールとも含む、請求項１９に記載の組成物。
【請求項２５】
組成物は、約５０〜７０体積％のα−テルピネオールと、約３０〜４０体積％のβ−テルピネオールとも含む、請求項１９に記載の組成物。
【請求項２６】
約５体積％までのα−テルペンと、約５体積％までのβ−テルペンとも含む、請求項１９に記載の組成物。
【請求項２７】
組成物は、約６０〜９５体積％のα−テルピネオールと、約３０体積％までのβ−テルピネオールとも含む、請求項１９に記載の組成物。
【請求項２８】
組成物は、約６０〜９５体積％のα−テルピネオールと、約３０体積％までのβ−テルピネオールとも含む、請求項１９に記載の組成物。
【請求項２９】
炭化水素含有材料からの炭化水素含有有機物の抽出方法であって、
ターペンタイン液を含む第１の液体を提供するステップを備え、ターペンタイン液は、α−テルピネオールを含み、
抽出混合物が形成され、残留物が形成されるよう、炭化水素含有材料を前記ターペンタイン液と接触させるステップをさらに備え、抽出混合物は、炭化水素含有有機物の少なくとも一部と、ターペンタイン液とを含み、残留物は、炭化水素含有材料からの、ターペンタイン液に溶解しない不溶性材料の少なくとも一部を含み、
抽出混合物を残留物から分離するステップをさらに備える、方法。
【請求項３０】
抽出混合物を炭化水素生成物流と再循環流とに分離するステップをさらに備え、炭化水素生成物流は、炭化水素含有有機物の少なくとも一部を含み、再循環流は、ターペンタイン液の少なくとも一部を含む、請求項２９に記載の方法。
【請求項３１】
再循環流を炭化水素含有材料と接触するように再循環させるステップをさらに備える、請求項３０に記載の方法。
【請求項３２】
固体または半固体の炭化水素含有材料から炭化水素含有有機物を回収するための装置であって、
炭化水素含有材料から炭化水素含有有機物を抽出するためのテルピネオールを含有するターペンタイン液を含むターペンタイン液供給源と、
接触容器とを備え、前記接触容器は、第１の入口を有し、第１の入口を通してターペンタイン液供給源と流体連通しており、接触容器は、炭化水素含有材料を第２の入口を通して内部に収容する働きをしており、接触容器は、炭化水素含有材料とターペンタイン液とを、抽出混合物および残留物を形成する働きをする予め定められた時間、接触容器の内部に維持する働きをしており、抽出混合物は、炭化水素含有有機物の少なくとも一部とターペンタイン液とを含み、残留物は、炭化水素含有材料からの、ターペンタイン液に溶解しない不溶性材料の少なくとも一部を含み、接触容器は、抽出混合物を接触容器から回収するための第１の出口と、残留物を接触容器から回収するための第２の出口とを含み、接触容器は、機械的攪拌を可能にする働きをしており、
貯蔵タンクをさらに備え、前記貯蔵タンクは、接触容器とラインを通して流体連通しており、貯蔵タンクは、抽出混合物を接触容器から受取る働きをしており、ラインは、固体が貯蔵タンクへ通過しないようにするろ過器を含み、 
残留物を接触容器の第２の出口から収集するための収集手段をさらに備える、装置。
【請求項３３】
抽出混合物を収容するための分離容器をさらに備え、分離容器は、炭化水素含有有機物をターペンタイン液から実質的に分離する働きをしている、請求項３２に記載の装置。
【請求項３４】
ターペンタイン液を分離容器から受取るための再循環流をさらに備え、再循環流は、ターペンタイン液を分離容器から接触容器へ再使用のために戻す働きをする、請求項３２に記載の装置。
【請求項３５】
粉砕機をさらに備え、前記粉砕機は、液状ターペンタインとの接触容器内での接触のために、炭化水素含有材料の大きさを小さくするように構成されている、請求項３２に記載の装置。
【請求項３６】
前記接触容器は、ターペンタイン液と炭化水素含有材料との接触時間を制御するように構成された複数のフィンまたはトレーをさらに含む回転傾斜ろ過器である、請求項３２に記載の装置。
【請求項３７】
炭化水素含有材料を接触容器に導入するための前記手段は、コンベアを含む、請求項３２に記載の装置。
【請求項３８】
前記接触容器は、炭化水素含有材料とターペンタイン液とを混合するための手段をさらに含む、請求項３２に記載の装置。
【請求項３９】
第１の接触容器に結合された第２の接触容器をさらに備え、第２の接触容器は、ターペンタイン液および石炭試料材料を受取るための入口と、抽出混合物の少なくとも一部の回収のための第１の出口と、残留物の少なくとも一部を混合容器から取出しすための第２の出口とを備え、第２の接触容器は、第１の接触容器と貯蔵タンクとの間に位置し、結合されている、請求項３２に記載の装置。
【請求項４０】
接触容器の入口に位置するろ過器をさらに備える、請求項３２に記載の装置。
【請求項４１】
タールサンドからの炭化水素含有有機物を回収方法であって、
回収可能な炭化水素含有有機物を含むタールサンドを入手するステップと、
ターペンタイン液を含む第１の液体を提供するステップとを備え、ターペンタイン液は、テルピネオールを含有し、
タールサンド試料を接触容器に供給するステップをさらに備え、前記接触容器は、ターペンタイン液を供給するための少なくとも１つの入口を含み、
抽出混合物が形成され、残留物が形成されるよう、タールサンド試料をターペンタイン液と接触容器内で接触させ、タールサンド試料をターペンタイン液で攪拌するステップをさらに備え、抽出混合物は、炭化水素含有有機物の少なくとも一部と、ターペンタイン液とを含み、残留物は、タールサンドからの、ターペンタイン液に溶解しない不溶性材料の少なくとも一部を含み、前記接触容器は、ターペンタイン液を供給するための少なくとも１つの入口を含み、
抽出混合物を残留物から分離するステップと、
抽出混合物を炭化水素生成物流とターペンタイン液再循環流とに分離するステップとをさらに備え、炭化水素生成物流は、タールサンドからの炭化水素含有有機物の少なくとも一部を含み、
ターペンタイン液再循環流の少なくとも一部を、接触させるステップに再循環させるステップをさらに備え、
前記ターペンタイン液は、α−テルピネオールとβ−テルピネオールとを含む、方法。
【請求項４２】
細かく砕かれた炭化水素含有オイルシェールからの炭化水素含有有機物の回収方法であって、
細かく砕かれた炭化水素含有オイルシェールを提供するステップと、
ターペンタイン液を含む第１の液体を提供するステップと、
細かく砕かれた炭化水素含有オイルシェールをろ過するステップと、
破砕された炭化水素含有オイルシェールを接触容器に送るステップとを備え、接触容器は、ターペンタイン液を接触容器に供給するための少なくとも１つの入口を含み、
抽出混合物が形成され、残留物が形成されるよう、細かく砕かれた炭化水素含有オイルシェールをターペンタイン液と接触させるステップをさらに備え、抽出混合物は、炭化水素含有有機物の少なくとも一部と、ターペンタイン液とを含み、残留物は、オイルシェールからの、ターペンタイン液に溶解しない不溶性材料の一部を少なくとも含み、
抽出混合物を残留物から分離するステップと、
炭化水素生成物流とターペンタイン液再循環流とを生成するために、炭化水素含有有機物をターペンタイン液から抽出混合物中で分離するステップとをさらに備え、炭化水素生成物流は、細かく砕かれた炭化水素含有オイルシェールからの炭化水素含有有機物の少なくとも一部を含み、
ターペンタイン液再循環流の少なくとも一部を、接触させるステップに再循環させるステップをさらに備える、方法。
【請求項４３】
炭化水素含有石炭を豊富に含む地下地層からの炭化水素含有有機物の回収方法であって、
石炭を入手するステップを備え、前記石炭は、回収可能な炭化水素含有有機物を含み、
破砕された石炭を生成するために石炭を粉砕するステップと、
破砕された石炭をろ過するステップと、
破砕された石炭を接触容器に送るステップとを備え、前記接触容器は、ターペンタイン液を接触容器に供給するための少なくとも１つの入口を含み、
抽出混合物が形成され、残留物が形成されるよう、破砕された石炭をターペンタイン液と接触させるステップをさらに備え、抽出混合物は、炭化水素含有有機物の少なくとも一部と、ターペンタイン液とを含み、残留物は、石炭からの、ターペンタイン液に溶解しない不溶性材料の一部の少なくとも一部を含み、
残留物を抽出混合物から分離するステップと、
炭化水素生成物流およびターペンタイン液再循環流を生成するために、炭化水素含有有機物をターペンタイン液から分離するステップとをさらに備え、炭化水素生成物流は、石炭からの炭化水素含有有機物の少なくとも一部を含み、
ターペンタイン液再循環流の少なくとも一部を、接触させるステップに再循環させるステップをさらに備える、方法。
【請求項４４】
炭化水素含有地下地層に結合された生産井からの炭化水素含有有機物の回収の増加方法であって、地下地層は、炭化水素含有材料を含み、
圧入井を設けるステップを備え、前記圧入は、地下地層と流体連通しており、
第１の液体を提供するステップをさらに備え、第１の液体は、テルピネオールを含むターペンタイン液を含み、
ターペンタイン液を圧入井を通して地層に圧入するステップをさらに備え、ターペンタイン液と炭化水素含有地下地層からの炭化水素含有有機物とは、抽出混合物炭化水素含有有機物の少なくとも一部と、ターペンタイン液の少なくとも一部とを含む抽出混合物を形成し、
抽出混合物を地層から生産井を通して回収するステップと、
炭化水素生成物流およびターペンタイン液流を生成するために抽出混合物を分離するステップとをさらに備える、方法。
【請求項４５】
炭化水素含有材料への界面活性剤の添加を利用して前記炭化水素含有材料から炭化水素含有有機物を抽出する方法であって、前記方法は、請求項１に記載の方法を備え、前記抽出は、前記有機物への任意の界面活性剤の添加があってから起こる、方法。